【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
ユーザからの操作を受け付ける受付手段と、
少なくとも、撮像部の撮像方向と、反対方向の一方に表示方向を選択的に変更可能な表示部と、
前記受付手段がユーザからの操作を受け付けなかった期間が閾値を超えたことに応じて、消費電力を低減する節電機能を実行する節電手段と、
前記表示部の表示方向が前記撮像方向である場合の閾値は、前記反対方向である場合の閾値よりも長くなるように制御する制御手段とを有することを特徴とする撮像装置。
【請求項２】
ユーザからの操作を受け付ける受付手段と、
少なくとも、撮像部の撮像方向と、反対方向の一方に表示方向を選択的に変更可能な表示部と、
前記表示部の表示方向が、前記反対方向の場合には、前記受付手段が第一の期間、ユーザからの操作を受け付けなかったことに応じて消費電力を低減する節電機能を実行し、前記表示部の表示方向が、前記撮像方向の場合には、前記受付手段が前記第一の期間よりも長い第二の期間、ユーザからの操作を受け付けなかったことに応じて前記節電機能を実行するように制御する制御手段とを有することを特徴とする撮像装置。
【請求項３】
前記表示部の表示方向が前記反対方向である場合には、前記表示部が前記撮像部を有する本体部に対して反転していない位置にあり、前記表示部の表示方向が前記撮像方向である場合には、前記表示部が前記本体部に対して反転している位置にあることを特徴とする請求項１または２に記載の撮像装置。
【請求項４】
ユーザからの操作を受け付ける受付手段と、
撮影指示をする撮影者自身が被写体となる自分撮りモードを含む複数の撮影モードから撮影モードを設定する設定手段と、
前記設定手段で設定されている撮影モードが、前記自分撮りモードではない撮影モードの場合には、前記受付手段が第一の期間、ユーザからの操作を受け付けなかったことに応じて消費電力を低減する節電機能を実行し、前記設定手段で設定されている撮影モードが、前記自分撮りモードの場合には、前記受付手段が前記第一の期間よりも長い第二の期間、ユーザからの操作を受け付けなかったことに応じて前記節電機能を実行するように制御する制御手段とを有することを特徴とする撮像装置。
【請求項５】
前記制御手段は、前記設定手段で撮影モードが前記自撮りモードに設定された場合に表示部へのタッチ操作での撮影指示に応じて撮影を行うように制御することを特徴とする請求項４に記載の撮像装置。
【請求項６】
前記自分撮りモードにおいては、リモコンによる撮影指示を受け付けることを特徴とする請求項４に記載の撮像装置。
【請求項７】
前記自分撮りモードにおいては、人物の顔領域に対して所定の効果をかけることを特徴とする請求項４または６に記載の撮像装置。
【請求項８】
リモコンによる操作指示を受け付けるリモコンモードと、リモコン以外による操作指示を受け付ける非リモコンモードとを有する指示手段と、
前記非リモコンモードの場合には、前記指示手段が第一の期間、ユーザからの操作を受け付けなかったことに応じて消費電力を低減する節電機能を実行し、前記リモコンモードの場合には、前記指示手段が前記第一の期間よりも長い第二の期間、ユーザからの操作を受け付けなかったことに応じて前記節電機能を実行するように制御する制御手段とを有することを特徴とする撮像装置。
【請求項９】
前記リモコンモードは、前記リモコンからのリモコンケーブルが前記撮像装置につながっている際に、前記リモコンケーブルを介して操作指示を受け付けるモードであることを特徴とする請求項８に記載の撮像装置。
【請求項１０】
ユーザからの操作を受け付ける受付手段と、
操作者を撮影するための第一の撮像部と、前記第一の撮像部とは反対側の方向に撮像方向がある第二の撮像部を含む複数の撮像部から撮影を行う撮像部を少なくとも一つ設定可能な設定手段と、
前記設定手段によって、前記第一の撮像部が撮影を行うように設定された場合には、前記受付手段が第一の期間、ユーザからの操作を受け付けなかったことに応じて消費電力を低減する節電機能を実行し、前記設定手段によって前記第一の撮像部が撮影を行うように設定されていない場合には、前記受付手段が前記第一の期間よりも長い第二の期間、ユーザからの操作を受け付けなかったことに応じて前記節電機能を実行するように制御する制御手段とを有することを特徴とする撮像装置。
【請求項１１】
前記制御手段は、前記設定手段で前記第一の撮像部で撮影を行うように設定された場合に、表示部へのタッチ操作での撮影指示に応じて撮影を行うように制御することを特徴とする請求項１０に記載の撮像装置。
【請求項１２】
前記表示部にライブビュー画像が表示されない第一の表示状態と、前記表示部に前記ライブビュー画像を表示する第二の表示状態とを切り替える切り替え手段をさらに有し、
前記制御手段は、前記表示部の表示方向が前記撮像方向であって、前記第一の表示状態の場合には、前記受付手段が一定の期間、ユーザからの操作を受け付けなかったことに応じて前記節電機能を実行し、前記第二の表示状態の場合には、前記受付手段が前記一定の期間よりも長い期間、ユーザからの操作を受け付けなかったことに応じて節電機能を実行するように御することを特徴とする請求項１乃至１１の何れか１項に記載の撮像装置。
【請求項１３】
前記節電機能は、少なくとも前記表示部の輝度を下げる、または前記撮像装置の電源を切らずに前記表示部を消灯する機能であることを特徴とする請求項１乃至１２の何れか１項に記載の撮像装置。
【請求項１４】
前記制御手段は、前記節電機能として表示部の輝度を下げた後、さらに所定の期間、ユーザからの操作を受け付けなかった場合に、前記表示部を消灯するよう制御することを特徴とする請求項１乃至１３の何れか１項に記載の撮像装置。
【請求項１５】
前記制御手段は、前記受付手段が操作部材への操作を受け付けたことに応じて、前記節電機能が実行された状態から、前記節電機能が実行される前の状態に復帰するように制御することを特徴とする請求項１乃至１４の何れか１項に記載の撮像装置。
【請求項１６】
前記操作部材は、前記撮像部の撮像方向とは反対側の位置に設けられていることを特徴とする請求項１５に記載の撮像装置。
【請求項１７】
少なくとも、撮像部の撮像方向と、反対方向の一方に表示方向を選択的に変更可能な表示部を有する撮像装置の制御方法であって、
ユーザからの操作を受け付ける受付ステップと、
前記受付ステップにおいてユーザからの操作を受け付けなかった期間が閾値を超えたことに応じて、消費電力を低減する節電機能を実行する節電ステップと、
前記表示部の表示方向が前記撮像方向である場合の閾値は、前記反対方向である場合の閾値よりも長くなるように制御する制御ステップとを有することを特徴とする撮像装置の制御方法。
【請求項１８】
少なくとも、撮像部の撮像方向と、反対方向の一方に表示方向を選択的に変更可能な表示部を有する撮像装置の制御方法であって、
ユーザからの操作を受け付ける受付ステップと、
前記表示部の表示方向が、前記反対方向の場合には、前記受付ステップにおいて第一の期間、ユーザからの操作を受け付けなかったことに応じて消費電力を低減する節電機能を実行し、前記表示部の表示方向が、前記撮像方向の場合には、前記受付ステップにおいて前記第一の期間よりも長い第二の期間、ユーザからの操作を受け付けなかったことに応じて前記節電機能を実行するように制御する制御ステップとを有することを特徴とする撮像装置の制御方法。
【請求項１９】
ユーザからの操作を受け付ける受付ステップと、
撮影指示をする撮影者自身が被写体となる自分撮りモードを含む複数の撮影モードから撮影モードを設定する設定ステップと、
前記設定ステップにおいて設定されている撮影モードが、前記自分撮りモードではない撮影モードの場合には、前記受付ステップが第一の期間、ユーザからの操作を受け付けなかったことに応じて消費電力を低減する節電機能を実行し、前記設定ステップにおいて設定されている撮影モードが、前記自分撮りモードの場合には、前記受付ステップにおいて前記第一の期間よりも長い第二の期間、ユーザからの操作を受け付けなかったことに応じて前記節電機能を実行するように制御する制御ステップとを有することを特徴とする撮像装置の制御方法。
【請求項２０】
リモコンによる操作指示を受け付けるリモコンモードと、リモコン以外による操作指示を受け付ける非リモコンモードとを有する指示ステップと、
前記非リモコンモードの場合には、前記指示ステップにおいて第一の期間、ユーザからの操作を受け付けなかったことに応じて消費電力を低減する節電機能を実行し、前記リモコンモードの場合には、前記指示ステップにおいて前記第一の期間よりも長い第二の期間、ユーザからの操作を受け付けなかったことに応じて前記節電機能を実行するように制御する制御ステップとを有することを特徴とする撮像装置の制御方法。
【請求項２１】
ユーザからの操作を受け付ける受付ステップと、
操作者を撮影するための第一の撮像部と、前記第一の撮像部とは反対側の方向に撮像方向がある第二の撮像部を含む複数の撮像部から撮影を行う撮像部を少なくとも一つ設定可能な設定ステップと、
前記設定ステップにおいて、前記第一の撮像部が撮影を行うように設定された場合には、前記受付ステップにおいて第一の期間、ユーザからの操作を受け付けなかったことに応じて消費電力を低減する節電機能を実行し、前記設定ステップにおいて前記第一の撮像部が撮影を行うように設定されていない場合には、前記受付ステップにおいて前記第一の期間よりも長い第二の期間、ユーザからの操作を受け付けなかったことに応じて前記節電機能を実行するように制御する制御ステップとを有することを特徴とする撮像装置の制御方法。
【請求項２２】
コンピュータを、請求項１乃至１６のいずれか１項に記載された撮像装置の各手段として機能させるためのプログラム。
【請求項２３】
コンピュータを、請求項１乃至１６のいずれか１項に記載された撮像装置の各手段として機能させるためのプログラムを格納したコンピュータが読み取り可能な記録媒体。